(57)【要約】  排気ガスによる蓄熱体への蓄熱及び蓄熱体による燃焼用空気の加熱を効率的に行うことができ、かつ、蓄熱体の脆化を抑制し得る蓄熱装置を提供する。ガラス溶解窯と接続するための接続ポート１３が上方に設けられ、内部に蓄熱体１１ａが配置された第１の蓄熱室１１と、第１の蓄熱室１１と隣接し、外部雰囲気と接続するための接続ダクト１４が上方に設けられ、内部に蓄熱体１２ａが配置された第２の蓄熱室１２と、第１の蓄熱室１１と第２の蓄熱室１２とを、互いに下方で接続する流通路１５と、を有するガラス溶解窯用の蓄熱装置であって、第１の蓄熱室１１の平断面における断面積（Ｓ１）と第２の蓄熱室１２の平断面における断面積（Ｓ２）との比（Ｓ２／Ｓ１）が、０．２〜０．６２である蓄熱装置１０。
2018096863.tif 000002
【特許請求の範囲】
【請求項１】
ガラス溶解窯と接続するための接続ポートが上方に設けられ、内部に蓄熱体が配置された第１の蓄熱室と、
前記第１の蓄熱室と隣接し、外部雰囲気と接続するための接続ダクトが上方に設けられ、内部に蓄熱体が配置された第２の蓄熱室と、
前記第１の蓄熱室と前記第２の蓄熱室とを、互いに下方で接続する流通路と、を有するガラス溶解窯用の蓄熱装置であって、
前記第１の蓄熱室の平断面における断面積（Ｓ１）に対する前記第２の蓄熱室の平断面における断面積（Ｓ２）の比（Ｓ２／Ｓ１）が、０．２〜０．６２であることを特徴とする蓄熱装置。
【請求項２】
前記第２の蓄熱室の平断面における縦横比（Ｌ２／Ｗ２）が、０．３〜０．７である請求項１に記載の蓄熱装置。
【請求項３】
前記第１の蓄熱室の断面積（Ｓ１）に対する前記流通路の開口面積（Ｓ３）の比（Ｓ３／Ｓ１）が、０．１〜０．４である請求項１又は２に記載の蓄熱装置。
【請求項４】
前記流通路の上端部が、前記第２の蓄熱室の蓄熱体の下端よりも、鉛直方向に５０〜１００ｃｍ低く設けられた請求項１〜３のいずれか１項に記載の蓄熱装置。
【請求項５】
前記流通路の上端部が、前記第２の蓄熱室の床面から、鉛直方向に１５〜５０ｃｍ上方に設けられた請求項１〜４のいずれか１項に記載の蓄熱装置。
【請求項６】
前記接続ダクトに、ダンパーが設けられている請求項１〜５のいずれか１項に記載の蓄熱装置。
【請求項７】
前記接続ダクトが、前記第２の蓄熱室の上面に接続されている請求項１〜６のいずれか１項に記載の蓄熱装置。
【請求項８】
前記蓄熱体は、その内部に気体を流通可能に蓄熱部材が積層して設けられており、
前記第２の蓄熱室における前記蓄熱部材が、格子状に積層配置されている請求項１〜７のいずれか１項に記載の蓄熱装置。
【請求項９】
前記蓄熱体は、その内部に気体を流通可能に蓄熱部材が積層して設けられており、
前記第２の蓄熱室における前記蓄熱体が、偶数段及び／又は奇数段において、隣接する偶数段及び／又は奇数段の前記蓄熱部材とは平面視における配置位置が重ならないように積層されている請求項８に記載の蓄熱装置。
【請求項１０】
前記蓄熱体の偶数段及び／又は奇数段の前記蓄熱部材が、側面視において千鳥配置となるように積層されている請求項９に記載の蓄熱装置。
【請求項１１】
前記蓄熱体の偶数段及び／又は奇数段の前記蓄熱部材が、側面視において３〜２０段の周期で階段状又は波状にパターンを繰り返して積層されている請求項９に記載の蓄熱装置。
【請求項１２】
前記蓄熱体を構成する蓄熱部材の断面が、台形形状である請求項１〜１１のいずれか１項に記載の蓄熱装置。
【請求項１３】
ガラス溶解窯と、
前記ガラス溶解窯に接続され、燃焼用空気と排気ガスとを交互に流通可能にする一対の、請求項１〜１２のいずれか１項に記載の蓄熱装置と、
を有することを特徴とするガラス溶解装置。
【請求項１４】
請求項１３に記載のガラス溶解装置を用い、前記一対の蓄熱装置により前記燃焼用空気と前記排気ガスとを交互に流通させながら、前記ガラス溶解窯内でガラス原料を溶解し、溶解したガラス原料を冷却により固化させてガラス物品とする、ことを特徴とするガラス物品の製造方法。
【発明の詳細な説明】
【技術分野】
【０００１】
本発明は、ガラス溶解窯用の蓄熱装置、該蓄熱装置を有するガラス溶解装置及び該ガラス溶解装置を用いたガラス物品の製造方法に関する。
【背景技術】
【０００２】
工業的なガラス製品の製造において、大量のガラス材料を、ガラス溶解窯を用いて溶解する。このガラス溶解窯は、その内部をガラスの溶融状態を維持するために高温状態に保つ必要がある。このような高温状態を維持するため、上記ガラス溶解窯の内部には燃焼用空気及び燃料が導入され、燃焼される。【０００３】
このとき、ガラス溶解窯の内部への燃焼用空気の導入は、一般に、ガラス溶解窯に並設された蓄熱装置を通過させて行われる。また、ガラス溶解窯の内部において燃焼により生じた排気ガスは、これも蓄熱装置を通過させて、ガラス溶解窯から外部雰囲気に排出される。すなわち、蓄熱装置において、燃焼用空気と排気ガスの流れは逆方向となる。【０００４】
ここで用いられる蓄熱装置は、内部にチェッカーブリックを積み重ねた蓄熱体が配置されており、燃焼に伴って排出される高温の排気ガスをチェッカーブリック間に通過させることで蓄熱し、その蓄熱された熱により、次にガラス溶解窯内に送入する燃焼用空気を加熱する。加熱された燃焼用空気は、燃料ガスと混合されガラス溶解窯の内部で燃焼され、所定の高温状態を維持する。このように排気ガスの排熱を効率的に利用することで、ガラス溶融時の使用エネルギーを抑制し、製造コストを低減できる。また、この操作は蓄熱装置に気体を流通させるだけでよいため、簡便な操作により行うことができる。このような蓄熱装置の構成については効率向上を目的として種々検討されている（例えば、特許文献１，２等参照）。【０００５】
また、燃焼排気ガスにより蓄熱体を加熱する際、偏流により蓄熱体の全体に亙って均一に燃焼排気ガスを通過させられない点を改善するため、蓄熱室内に詰め上げられた最上段の蓄熱部材を蓄熱室のポートマウス側から対向する側壁に向けて階段状に積み上げたものが知られている（例えば、特許文献３参照）。
【先行技術文献】
【特許文献】
【０００６】
【特許文献１】特開平０９−１２３１５号公報
【特許文献２】米国特許第４３７２７７０号明細書
【特許文献３】特開平０８−１５７２２２号公報
【発明の概要】
【発明が解決しようとする課題】
【０００７】
ところで、蓄熱室を２つ有する蓄熱装置（ダブルパス蓄熱装置）の場合には、蓄熱室を一つしか有さない蓄熱装置（シングルパス蓄熱装置）の場合に比べ、熱交換可能な流路を長くすることができるため、排気ガスの排熱を効率的に利用することができる場合がある。蓄熱室を２つ有する蓄熱装置としては、図７に示したような蓄熱装置が考えられる。この蓄熱装置５０は、内部に蓄熱体５１ａが配置された第１の蓄熱室５１と、第１の蓄熱室５１と隣接し、内部に蓄熱体５２ａが配置された第２の蓄熱室５２と、を有する。ここで、第１の蓄熱室５１にはガラス溶解窯と接続するための接続ポート５３が上方に設けられ、第２の蓄熱室５２には外部雰囲気と接続するための接続ダクト５４が上方に設けられている。また、第１の蓄熱室５１と第２の蓄熱室５２とは、それぞれ互いに下方で流通路５５により接続されている。【０００８】
この蓄熱装置５０は、ガラス溶解窯内で生じた排気ガスを排出する際には、ガラス溶解窯と接続された接続ポート５３から排気ガスを第１の蓄熱室５１に導入し、次いで、導入した排気ガスを、流通路５５を介して第２の蓄熱室５２に移送する。移送された排気ガスは第２の蓄熱室５２内を流れて、そのまま接続ダクト５４から外部雰囲気に排出される。【０００９】
このとき、排気ガスはガラス溶解窯内で高温に加熱されており、この高温の排気ガスを蓄熱体５１ａ，５２ａを流通させることで、熱移動により蓄熱体に蓄熱する。ところで、排気ガスは高温であるため蓄熱室内において浮力により上昇しやすい。したがって、第１の蓄熱室５１では、上方から排気ガスが溜まっていき、流通路５５の開口上端部よりも低い位置まで溜まったときに第２の蓄熱室５２への移送が始まる。【００１０】
第２の蓄熱室５２へ導入された排気ガスは、第１の蓄熱体５１ａとの接触により温度が低下しているが、依然として高温であるため、第２の蓄熱室５２へ移動してすぐに上昇し、第２の蓄熱室５２の天井付近に到達するとそのまま接続ダクト５４を介して排出される。【００１１】
このとき、排気ガスは、第１の蓄熱室５１から第２の蓄熱室５２に移動した瞬間に上方への移動が開始されるため、第２の蓄熱室５２の中でも、第１の蓄熱室５１寄りを上方に流通する。したがって、その反対側の、流通口５５から離れた接続ダクト５４寄りにはあまり流通しない。【００１２】
一方、燃焼用空気をガラス溶解窯内へ導入する場合、外部雰囲気から接続ダクト５４を介して燃焼用空気を第２の蓄熱室５２に取込む。このとき、上記とは逆に、燃焼用空気は導入当初は常温程度であり、第２の蓄熱室５２に取り込まれたとき、すぐに下降する傾向がある。したがって、第２の蓄熱室の中でも、接続ダクト５４寄りを燃焼用空気が下方に流通するが、第１の蓄熱室５１寄りにはあまり流通しない。【００１３】
そのため第２の蓄熱室５２において、専ら排気ガスが流通する部分と、専ら燃焼用空気が流通する部分と、が分かれてしまう偏流が生じていた。この偏流により、蓄熱した熱を効率的に利用できず、エネルギー効率が思ったほど向上しないという問題がある。【００１４】
また、上記のように排気ガスと燃焼用空気の流通路がずれてしまっている場合、第２の蓄熱室５２において、排気ガスが流通する第１の蓄熱室５１側の温度が高くなりやすく、燃焼用空気が流通する接続ダクト５４側の温度が低くなりやすい。この場合、蓄熱体５２ａにおいて温度分布が生じてしまう。【００１５】
このとき、８８０℃以下となる部分では、排気ガス中に含まれるナトリウムイオン及び硫酸イオンから硫酸ナトリウム（Ｎａ２ＳＯ４）が析出し、蓄熱部材に付着し析出することで、チェッカーブリックのガスの流路を閉塞してしまうことがある。また、析出した硫酸ナトリウムは、蓄熱体５２ａの脆化を誘発する。よって、硫酸ナトリウムの蓄熱体５１ａ及び５２ａでの析出範囲を小さくすることが炉材構成上好ましい。しかし、８８０℃以上の高温域が蓄熱室５１側の蓄熱体５２ａに広範囲に発生するので、この硫酸ナトリウムの析出域が広範囲にわたってしまう。【００１６】
このように蓄熱体が脆化（蓄熱部材が脆化）すると、その部分の蓄熱能が低下するのに加え、脆化した蓄熱部材がその積層構造を維持できなくなり崩れる等により、蓄熱体そのものを所定の配置位置に保持できず、蓄熱作用そのものを奏し得なくなる場合もある。【００１７】
そこで、本発明は、これらの問題を解決すべくなされたものであり、排気ガスによる蓄熱体への蓄熱及び蓄熱体による燃焼用空気の加熱を効率的に行うことができ、かつ、蓄熱体の劣化を防止し使用寿命の長い蓄熱装置を提供することを目的とする。
【課題を解決するための手段】
【００１８】
本発明の蓄熱装置は、ガラス溶解窯と接続するための接続ポートが上方に設けられ、内部に蓄熱体が配置された第１の蓄熱室と、前記第１の蓄熱室と隣接し、外部雰囲気と接続するための接続ダクトが上方に設けられ、内部に蓄熱体が配置された第２の蓄熱室と、前記第１の蓄熱室と前記第２の蓄熱室とを、互いに下方で接続する流通路と、を有するガラス溶解窯用の蓄熱装置であって、前記第１の蓄熱室の平断面における断面積（Ｓ１）と前記第２の蓄熱室の平断面における断面積（Ｓ２）との比（Ｓ２／Ｓ１）が、０．２〜０．６２であることを特徴とする。【００１９】
本発明のガラス溶解装置は、ガラス溶解窯と、前記ガラス溶解窯に接続され、燃焼用空気と排気ガスとを交互に流通可能にする一対の、本発明の蓄熱装置と、を有することを特徴とする。【００２０】
本発明のガラス物品の製造方法は、本発明のガラス溶解装置を用い、前記一対の蓄熱装置により前記燃焼用空気と前記排気ガスとを交互に流通させながら、前記ガラス溶解窯内でガラス原料を溶解し、溶解したガラス原料を冷却により固化させてガラス物品とする、ことを特徴とする。
【発明の効果】
【００２１】
本発明の蓄熱装置によれば、排気ガスによる蓄熱体への蓄熱及び蓄熱体による燃焼用空気の加熱を効率的に行うことができ、かつ、蓄熱体の劣化を抑制することにより蓄熱装置自体の使用寿命を向上させることができる。【００２２】
本発明のガラス溶解装置及びガラス物品の製造方法によれば、上記蓄熱装置を用いているため、上記蓄熱及び加熱を効率的に行うことができ、ガラス溶解及びガラス物品製造における使用エネルギーをより低減できる。
【図面の簡単な説明】
【００２３】
【図１】本発明の一実施形態である蓄熱装置の側断面図である。
【図２】図１の蓄熱装置におけるＡ−Ａ断面図である。
【図３Ａ】ダンパーを設けた接続ダクトの側断面図である。
【図３Ｂ】ダンパーを設けた他の接続ダクトの側断面図である。
【図４Ａ】蓄熱体の積層構造の一例を示した側面図である。
【図４Ｂ】蓄熱体の積層構造の他の例を示した側面図である。
【図５Ａ】蓄熱部材の形状の一例を示した側面図である。
【図５Ｂ】図５Ａの蓄熱部材の正面図である。
【図５Ｃ】蓄熱部材の形状の他の例を示した側面図である。
【図５Ｄ】図５Ｃの蓄熱部材の正面図である。
【図６】実施例における生産量と燃料原単位の関係を示すグラフである。
【図７】従来の一実施形態である蓄熱装置の側断面図である。
【発明を実施するための形態】
【００２４】
以下、本発明について詳細に説明する。
＜蓄熱装置＞
本発明に係る蓄熱装置は、従来用いられている蓄熱装置と同様に、ガラス溶解窯と接続して用いられ、燃焼用空気及び排気ガスを交互に流通可能としたものである。この蓄熱装置は、ガラス溶解窯から外部雰囲気へ排気ガスを流通させる際、高温の排気ガスの熱を蓄熱体に蓄熱し、次いで、外部雰囲気からガラス溶解窯へ燃焼用空気を流通させる際、蓄熱した熱により燃焼用空気を加熱できるようになっている。
【００２５】
この排気ガスの流通と燃焼用空気の流通を交互に行うことで、蓄熱装置内部に設けられた蓄熱体により、蓄熱及び放熱を繰り返し行い、熱エネルギーを効率的に利用できる。これによって、ガラス溶解窯内での燃焼操作を低コストで効率的に行うことができる。
【００２６】
本発明の一実施形態である蓄熱装置の概略構成を図１に示した。この図１に示した蓄熱装置１０は、第１の蓄熱室１１と、第２の蓄熱室１２と、第１の蓄熱室１１に設けられたガラス溶解窯と接続するための接続ポート１３と、第２の蓄熱室１２に設けられた外部雰囲気と接続するための接続ダクト１４と、第１の蓄熱室１１と第２の蓄熱室１２とを接続する流通路１５と、を有して構成されている。以下、本発明の一実施形態を構成する各要素について詳細に説明する。
【００２７】
第１の蓄熱室１１は、内部に蓄熱体１１ａが配置されており、その内部を流通する気体が該蓄熱体１１ａと接触するように区画された空間である。すなわち、第１の蓄熱室１１は、上記したように燃焼用空気と排気ガスを流通させるように設けられ、その内部空間が流通路となっており、この第１の蓄熱室１１を通過する燃焼用空気及び排気ガスは、第１の蓄熱室１１を通過する際、蓄熱体１１ａと接触し熱交換が可能となっている。
【００２８】
したがって、蓄熱体１１ａは、第１の蓄熱室１１内を流通する気体の流通方向に対して垂直方向に横断的に設けられ、流通する気体の大部分が蓄熱体１１ａと接触するようにして熱交換を効率的に行えるようになっている。
【００２９】
また、この第１の蓄熱室１１には、ガラス溶解窯に接続するための接続口として接続ポート１３が設けられている。接続ポート１３は、第１の蓄熱室１１とガラス溶解窯の内部とを接続するもので、ガラス溶解窯から第１の蓄熱室１１内への排気ガスの移動、第１の蓄熱室１１内からガラス溶解窯への加熱された燃焼用空気の移動、を可能とする開口である。
【００３０】
この接続ポート１３は、第１の蓄熱室の上方に設けられる。ここで上方とは、第１の蓄熱室１１において、例えば、第１の蓄熱室１１の内部に配置された蓄熱体１１ａよりも高い位置であることを意味する。
さらに、接続ポート１３の配置位置は、流通させる気体が第１の蓄熱室１１の内部に滞留しないように第１の蓄熱室１１の天井に近い位置又は天井が好ましい。
【００３１】
第２の蓄熱室１２は、内部に蓄熱体１２ａが配置されており、その内部を流通する気体が該蓄熱体１２ａと接触するように区画された空間である。すなわち、第２の蓄熱室１２は、上記したように燃焼用空気と排気ガスを流通させるように設けられ、その内部空間が流通路となっており、この第２の蓄熱室１２を通過する燃焼用空気及び排気ガスは、第１の蓄熱室１２を通過する際、蓄熱体１２ａと接触し熱交換が可能となっている。
【００３２】
したがって、蓄熱体１２ａは、第２の蓄熱室１２内を流通する気体の流通方向に対して垂直方向に横断的に設けられ、流通する気体の大部分が蓄熱体１２ａと接触するようにして熱交換を効率的に行えるようになっている。
【００３３】
また、この第２の蓄熱室１２には、外部雰囲気と接続するための接続口として接続ダクト１４が設けられている。接続ダクト１４は、第２の蓄熱室１２と外部雰囲気とを接続するもので、外部雰囲気から第２の蓄熱室１２内への燃焼用空気の移動、第２の蓄熱室１２内から外部雰囲気への排気ガスの移動、を可能とする開口である。
【００３４】
この接続ダクト１４は、第２の蓄熱室１２の上方に設けられる。ここで上方とは、第２の蓄熱室１２において、例えば、第２の蓄熱室１２の内部に配置された蓄熱体１２ａよりも高い位置であればよい。さらに、接続ダクト１４の配置位置は、流通させる気体が第２の蓄熱室１２の内部に滞留しないように第２の蓄熱室１２の側壁の天井に近い位置が好ましく、天井に設けてもよい。天井に設ける場合は、鉛直方向に流路が形成されるように煙突状に設ければよい。
【００３５】
上記した蓄熱体１１ａ，１２ａは、ガラス溶解窯の蓄熱装置に用いられる従来公知の蓄熱体であればよく、特に限定されるものではない。この蓄熱体１１ａ，１２ａは、一般に、蓄熱用レンガ（チェッカーブリック）等の蓄熱部材を積層して形成されている。その積層にあたっては、内部を気体が流通可能なように（蓄熱効率を高めるように）蓄熱用レンガ同士の間隔を調整して積み上げる。このとき、典型的には、格子状に配列されるように蓄熱用レンガを重ねて並べ、その格子状の配列をさらに複数組積層すればよい。このとき、一般には段数によって向きを交互に重ねており、奇数段と偶数段とで、その配置位置が異なっている。このように積層した蓄熱体は、正面（側面）及び平面から見たときにいずれも格子状に積み重ねて蓄熱体が形成されている。しかしながら、積み重ねる手法は蓄熱機能を発揮できるものであれば特に限定されるものではない。
【００３６】
ここで用いられる蓄熱用レンガとしては、高温かつアルカリ耐性を有するものが用いられ、塩基性の結合レンガ、アルミナまたはアルミナ・ジルコニア・シリカ（ＡＺＳ）質の電鋳レンガ等が挙げられる。電鋳レンガは、蓄熱室において全体的にどの部位でも使用可能であるが、結合レンガの場合には、蓄熱室における使用部位に応じて以下のように材質を選択することが好ましい。
【００３７】
第１の蓄熱室１１に形成される蓄熱体１１ａの上段域においては、特に高温でガラス原料粉末が飛散してくることから、高純度のアルミナまたはマグネシア質の結合レンガを使用するのが好ましい。
【００３８】
蓄熱体１１ａの中段域においては、ボウ晶の析出が原因となる劣化に強いスピネルレンガ、またはマグネシアレンガ等を使用するのが好ましい。蓄熱体１１ａの下段域においては、上段、中段の蓄熱体の重量を支える強度が必要なため、緻密で低気孔率の粘土質レンガまたはマグネシアレンガを使用するのが好ましい。
【００３９】
また、第２の蓄熱室１２に形成される蓄熱体１２ａの下段域においては、上記第１の蓄熱室における蓄熱体１１ａの下段域と同様に、上段、中段の蓄熱体の重量を支える強度が必要なため、緻密で低気孔率な粘土質レンガまたはマグネシアレンガを使用するのが好ましい。
【００４０】
第２の蓄熱室１２の中段〜上段域においては、通常の粘土質レンガまたは低気孔率の粘土質レンガを使用するのが好ましい。
【００４１】
また、第１の蓄熱室に形成される蓄熱体１１ａは、蓄熱用レンガが格子状になるように積層して得られるものが好ましい。このとき、厚みが３０〜６０ｍｍのレンガが積層され、ガス流路となる各開口部分が１４０〜１６０ｍｍ角となるように区切られることが好ましい。一般的にはロの字型や十字型等のレンガが使用される。
【００４２】
第２の蓄熱室に形成される蓄熱体１２ａは、第１の蓄熱室で用いられる蓄熱用レンガとは形状が異なるが、平面的に見たときに、ガラス流路とレンガ部分が存在することは同等であり、ガス流路となる開口部が１４０〜１９０ｍｍであって、レンガ厚みが３０〜９０ｍｍ（好ましくは、６０〜９０ｍｍ）、となるように積層して得られるものが好ましい。
なお、第２の蓄熱室の蓄熱体１２ａは、さらに、後述する図４Ａや図４Ｂで説明する積層配置とすることもできる。
【００４３】
また、第１の蓄熱室１１と第２の蓄熱室１２とは、互いに下方に設けられた流通路１５により接続されている。この流通路１５は、第１の蓄熱室１１から第２の蓄熱室１２へ、および第２の蓄熱室１２から第１の蓄熱室１１へ、気体の流通を可能とする開口である。
【００４４】
この流通路１５は、第１の蓄熱室１１及び第２の蓄熱室１２のいずれにおいても下方に設けられている。ここで、下方とは、第１の蓄熱室１１及び第２の蓄熱室１２において、例えば、それぞれの蓄熱室の内部に配置された蓄熱体１１ａ，１２ａよりも低い位置であればよい。さらに、流通路１５の配置位置は、流通させる気体が第１の蓄熱室１１及び第２の蓄熱室１２内部に滞留しないようにそれぞれの蓄熱室の底面に近い位置が好ましい。ここで、流通路１５は、第１の蓄熱室１１と第２の蓄熱室１２との間で気体の流通を円滑に行うことができる大きさであればよく、特に限定されるものではない。
【００４５】
上記したように、接続ポート１３及び接続ダクト１４を上方に、流通路１５を下方に設けている。そのため、例えば、排気ガスは、ガラス溶解窯から第１の蓄熱室１１の上方に導入され、第１の蓄熱室１１内部を蓄熱体１１ａと接触しながら下方に移動し流通路１５を通って第２の蓄熱室１２に移動する。さらに、第２の蓄熱室１２に移動した排気ガスは、第２の蓄熱室１２内部を蓄熱体１２ａと接触しながら上方に移動し接続ダクト１４から外部雰囲気に排出される。
【００４６】
そして、この蓄熱装置１０は、上記した第１の蓄熱室１１と第２の蓄熱室１２とを所定の関係とする点に特徴を有する。図２は、図１に示した蓄熱装置１０のＡ−Ａ断面図を示しており、この図２において、第１の蓄熱室１１の平断面における面積をＳ１、第２の蓄熱室１２の平断面の面積をＳ２としている。ここで、本発明の一実施形態においては、これらの面積Ｓ１に対する面積Ｓ２との比（Ｓ２／Ｓ１）が０．２〜０．６２であり、０．３〜０．５８が好ましく、０．３〜０．５２がさらに好ましい。なお、図２において、面積Ｓ１は斜線、面積Ｓ２は斜め格子、のハッチングパターンで表している。
【００４７】
この比（Ｓ２／Ｓ１）を０．６２以下とすることで、従来課題としていた偏流による熱交換の効率低下を抑制し、熱エネルギーの利用効率を向上させることができる。すなわち、第２の蓄熱室１２における排気ガスの流路と燃焼用空気の流路とを重ねることで、蓄熱による熱利用の効率を向上させることができる。さらに、これにより、蓄熱体の脆化を抑制し、装置寿命を長くすることができる。
【００４８】
また、上記比（Ｓ２／Ｓ１）を０．２以上とすることで、第１の蓄熱室１１から第２の蓄熱室１２へ、また、第２の蓄熱室１２から第１の蓄熱室１１へ、と流通可能な気体の流量の変化量を良好な範囲に抑制でき、気体の流速が速くなりすぎることによる、蓄熱体の損傷を防止したり、摩耗を低減したりすることが可能になり、蓄熱装置内の気体の流通を円滑なものとできる。
【００４９】
なお、一般に、蓄熱体１１ａ，１２ａは、第１の蓄熱室１１及び第２の蓄熱室１２にそれぞれ平断面（流路の横断面）の全領域に配置されるように形成されるため、上記面積の比はそのまま蓄熱体１１ａ，１２ａが形成された面積と同じ関係となる。
【００５０】
さらに、図２に示したように、第１の蓄熱室の平断面における縦（奥行）をＬ１、横（幅）をＷ１、第２の蓄熱室の平断面における縦（奥行）をＬ２、横（幅）をＷ２、としたとき、第２の蓄熱室の縦横比（Ｌ２／Ｗ２）は０．３〜０．７が好ましい。このような縦横比とすることで、第２の蓄熱室１４を流通する燃焼用空気及び排気ガスが円滑に流通でき、上記した排気ガスによる蓄熱、燃焼用空気の加熱をそれぞれより効率的にできる。
【００５１】
また、流通路１５の開口面積（Ｓ３）は、上記した第１の蓄熱室１１の平断面の面積（Ｓ１）に対する比（Ｓ３／Ｓ１）が０．１〜０．４であることが好ましい。この比（Ｓ３／Ｓ１）を０．４以下とすることで、排気ガスが第１の蓄熱室１１から第２の蓄熱室１２に移動する際、流通路１５を通過する流速を高めることができ、排気ガスを流通路１５から離れた蓄熱体１２ａ（接続ダクト１４側の蓄熱体１２ａ）まで届けることができる。また、比（Ｓ３／Ｓ１）を０．１以上とすることで、排気ガスの流通路１５の通過における流速が高くなりすぎず、蓄熱体１２ａの全体に排気ガスを接触させることができる。すなわち、排気ガスが主に第１の蓄熱室１１寄りの蓄熱体１２ａに接触するような偏流を抑制できる。
【００５２】
また、この流通路１５の開口上端部１５ａは、第２の蓄熱室１２に配置された蓄熱体１２ａの下端よりも鉛直方向に５０〜１００ｃｍ低い位置に設けられることが好ましく、８０〜１００ｃｍ低い位置がより好ましい。
また、この流通路１５の開口上端部１５ａは、第２の蓄熱室１２の床面から、鉛直方向に５０〜１５０ｃｍ上方に設けられることが好ましく、８０〜１２０ｃｍ上方に設けられることがより好ましい。
【００５３】
また、第２の蓄熱室１２の床面から蓄熱体１２ａの下端との距離をＨ１としたとき（図１参照）、流通路１５の開口上端部１５ａは、第２の蓄熱室１２の床面から、Ｈ１の２／３より低い位置に設けられることが好ましく、１／２より低い位置に設けられることがより好ましい。
これにより、第１の蓄熱室１１から第２の蓄熱室１２に移動した排気ガスが、蓄熱体１２ａに接触するまでの時間を若干遅くでき、これにより第２の蓄熱室１２に流入した排気ガスが拡散されるため、これも偏流抑制の一つの方法となる。
【００５４】
また、第１の蓄熱室１１の床面と第２の蓄熱室１２の床面は段差が設けられてもよい。このとき、第２の蓄熱室１２の床面が、第１の蓄熱室１１の床面よりも１５〜５０ｃｍ高いことが好ましく、２０〜３０ｃｍ高いことがさらに好ましい。なお、床面に段差がある場合、流通路１５の開口面積（Ｓ３）は、第１の蓄熱室１１の床面と第２の蓄熱室１２の床面のうち高い方の床面を流通路の下面として開口部が定まる。
【００５５】
＜ガラス溶解装置＞
本発明の一実施形態のガラス溶解装置は、ガラス溶解窯と、該ガラス溶解窯と接続された一対の上記蓄熱装置と、を有する。ここで用いるガラス溶解窯は、従来公知のガラス溶解窯が用いられ特に限定されるものではない。
【００５６】
また、ここで用いる蓄熱装置は、本発明の蓄熱装置であり、例えば、上記説明した蓄熱装置が挙げられる。この蓄熱装置は、燃焼用空気と排気ガスとを交互に流通可能するものであり、さらに、ガラス溶解窯に対して一対となるように設けられる。この一対に設けられた蓄熱装置により、一方に燃焼用空気を流通させている場合、他方には排気ガスを流通させるようにしてガラス溶解窯内の雰囲気を常に燃焼可能な状態とできる。これによりガラス溶解窯内において、高温状態を安定して維持できるようにしている。
【００５７】
＜ガラス物品の製造方法＞
本発明のガラス物品の製造方法は、上記ガラス溶解装置を用いてガラス物品を製造することを特徴とする。
【００５８】
このガラス物品の製造方法においては、従来公知の方法と同様の操作により、ガラス溶解窯内でガラス原料を溶解し、溶解したガラス原料を冷却により固化させてガラス物品とする。このとき、ガラス溶解装置として上記ガラス溶解装置を用いる点が特徴である。
【００５９】
すなわち、まず、ガラス溶解装置のガラス溶解窯内に、燃焼用空気と燃料とを導入し、燃焼させてガラス溶解窯内を所望の温度に加熱する。ガラス溶解窯内を所定の温度に維持したまま、公知の方法によりガラス原料を十分に溶解し、溶解したガラス原料は、ガラス溶解窯から移送して、冷却して固化させ、所望の形状のガラス物品を製造する。
【００６０】
このガラス物品の製造において、ガラス溶解窯内の温度をガラス原料が溶解状態を保つように高温に維持するのに、上記一対の蓄熱装置を使用する。すなわち、ガラス溶解窯内での燃焼により生じた排気ガスを、一方の蓄熱装置に流通させて外部雰囲気に排出するのと同時に、他方の蓄熱装置には外部雰囲気から燃焼用空気を流通させ、該燃焼用空気をガラス溶解窯内へ導入する。ここで導入された燃焼用空気は燃料と混合され、ガラス溶解窯内で燃焼され、所定の高温状態を維持できるようになっている。
【００６１】
この流れを所定時間行った後、今度は、各蓄熱装置において流通させる気体及び気体の流通方向を変更する。すなわち、排気ガスを流通させていた蓄熱装置においては燃焼用ガスを、燃焼用ガスを流通させていた蓄熱装置においては排気ガスを、それぞれ流通させるようにする。このように流通させる気体及び気体の流通方向を、所定のタイミングで交互に変更する操作を繰り返し行う。これによって、ガラス溶解窯の内部は、常に所望の高温状態を維持できる。
【００６２】
この操作を行うことで、高温の排気ガスと蓄熱体が接触すると、熱移動により蓄熱体に蓄熱され、次いで、この蓄熱された蓄熱体に燃焼用空気を接触させると、熱移動により常温である燃焼用空気が加熱される。この熱移動が、第１の蓄熱室１１及び第２の蓄熱室１２で行われる。
【００６３】
このように、排気ガスの排熱を、蓄熱体１１ａ，１２ａを介して燃焼用空気の加熱に利用することで、熱エネルギーを有効活用して、ガラス物品の製造において省エネルギー化、低コスト化、を図ることができる。
【００６４】
（蓄熱装置の変形例）
また、上記した蓄熱装置は、次に説明するような構成とすることもできる。
接続ダクト１４には、図３Ａ及び３Ｂに示したように、燃焼用空気の流通方向を変更できるダンパー２１を設けてもよい。このダンパー２１は、第２の蓄熱室１２と接続ダクト１４の接続口付近に設けられる。このダンパー２１は、燃焼用空気を接続ダクト１４から第２の蓄熱室１２に取り込む際に、燃焼用空気の流通方向（取込み方向）を変えられるようにできればよい。
【００６５】
例えば、図３Ａに示したダンパー２１は両端部が上下動可能なように中央部が固定された板状の部材であり、この板状部材の向きによって第２の蓄熱室内に送り込まれる燃焼用空気の方向が変化する。燃焼用空気が接続ダクト１４から下斜め方向に取り込まれるときは、第２の蓄熱室１２の内部に配置された蓄熱体１２ａのうち接続ダクト１４の接続口寄りの蓄熱体と接触して下方に流通し、燃焼用空気が接続ダクト１４から上斜め方向に取り込まれるときは、第２の蓄熱室１２の内部に配置された蓄熱体１２ａのうち接続ダクト１４の接続口から離れた蓄熱体と接触して下方に流通するようになる。
【００６６】
このように燃焼用空気を第２の蓄熱室１２に取り込む際に流通方向を変えることで、燃焼用空気の流路を偏在させないようにでき、蓄熱体の温度も均一なものとできる。
【００６７】
また、図３Ｂには、接続ダクト１４を第２の蓄熱室１２の天井に設けた例を示した。このように接続ダクト１４を天井に設けると、燃焼用空気の取り込む平面位置を任意に設定でき好ましい。例えば、排気ガスの上昇流の強弱に応じて設けることもできる。また、図３Ｂでは図３Ａと同様に、ダンパー２１を設けているが、このときダンパー２１は両端部が水平方向に可動できるように中央部が固定された板状の部材であり、この板状部材の向きによって第２の蓄熱室１２内に送り込まれる燃焼用空気の方向が変化する。
【００６８】
したがって、燃焼用空気が接続ダクト１４から第１の蓄熱室１１寄りに取り込まれるときは、第２の蓄熱室１２の内部に配置された蓄熱体１２ａのうち第１の蓄熱室１１寄りの蓄熱体と接触しながら下方に流通し、燃焼用空気が接続ダクト１４の第１の蓄熱室１１から離れた側に取り込まれるときは、第２の蓄熱室１２の内部に配置された蓄熱体のうち第１の蓄熱室１１から離れた側の蓄熱体と接触しながら下方に流通するようになる。
【００６９】
このように燃焼用空気を第２の蓄熱室１２に取り込む際に流通方向を変えることで、燃焼用空気の流路を偏在させることなく、蓄熱体の温度も均一なものとできる。
【００７０】
次に、蓄熱体１２ａの蓄熱部材の積層構造について説明する。
【００７１】
上記した蓄熱体１２ａは、高温ガスを流通させることで蓄熱し、次いで低温ガスを流通させることで放熱できるように積層されるものであり、一般的には側面から見たときに格子状に積み重ねられる（図４Ａ）。この図４Ａでは、蓄熱部材として直方体の耐熱レンガを使用し、この蓄熱部材を１３段積み重ねた場合の、一構成例を概略的に示している。この図４Ａでは、奇数段の蓄熱部材を１２１ａ、偶数段の蓄熱部材を１２１ｂとして示したが、蓄熱部材１２１ａと蓄熱部材１２１ｂは同一の蓄熱部材である。
【００７２】
また、蓄熱部材の他の積層構造としては、図４Ｂに示したように、蓄熱部材の積層位置が互い違いとなるような千鳥配置として積層してもよい。なお、千鳥配置は、奇数段、偶数段を分けて考える。すなわち、ある奇数段における積層位置が、隣の奇数段（段数で言えば±２段）の蓄熱部材の積層位置とは、平面視したときに重ならないように互い違いに積層されている状態である。
【００７３】
千鳥配置とする場合、奇数段における蓄熱部材の配置位置及び偶数段における蓄熱部材の配置位置の少なくとも一方を千鳥配置とすればよい。このとき、蓄熱体１２ａの外周部分においては、積層構造の強度等を考慮し、外表面の配置位置は揃うようにすることが好ましい。
【００７４】
この千鳥配置のように、平面視における蓄熱部材の配置位置をずらすことで、流通する気体が蓄熱体の内部を流通する流路長を長くすることができ、蓄熱及び放熱の熱移動を効率的に行うことができる。例えば、図４Ａ及び図４Ｂに示した蓄熱体１２ａにおける排気ガスの主な流れの一例を、それぞれ破線で示した。図４Ａでは、流路ｆｌ１がそのまま鉛直方向上方に直線的に形成されるのに対し、図４Ｂでは、流路ｆｌ２が上段の蓄熱部材により妨げられて直線状に形成できないため、例えば、波状に形成される。したがって、排気ガスの蓄熱体１２ａ内の流路を長くでき、それだけ蓄熱の機会を増やすことができ熱移動の効率を向上させることができる。
【００７５】
なお、図４Ｂでは簡略的に流路ｆｌ２を示しており、実際にはきれいに波状になるわけではない。すなわち、蓄熱部材との衝突で分岐し、さらにその上段の蓄熱部材との衝突で分岐し、というのを繰り返すと同時に、他の流路の分岐流と合流する等もあるため、実際の流れは複雑なものとなる。
【００７６】
また、このような互い違いとなる配置とする部分は蓄熱体の一部分でもよいが、設ける場合には、流路長を長くできるように鉛直方向に配置パターンが繰り返されるようにして設けることが好ましい。
【００７７】
上記では互い違いとなる配置を説明したが、流路長を長くできるものであればこれに限られるものではない。すなわち、この配置は、奇数段又は偶数段において、蓄熱部材が互い違いに積層されている構造であり、これは、言い換えれば、起点となる段における蓄熱部材の配置に対し、１つ上の段（奇数偶数合わせると、実際には２つ上の段）の配置が、起点となる段における蓄熱部材間のピッチの真ん中（平面視したときの配置位置）であり、２つ上の段（奇数偶数合わせると、実際には４つ上の段）の配置が、起点となる段における蓄熱部材と同一（平面視した時の配置位置）となるものである。さらに、３つ上の段（奇数偶数合わせると、実際には６つ上の段）の配置が、１つ上の段と同一（平面視した時の配置位置）となるものであり、このような配置が以降繰り返される。すなわち、これは２段の周期で繰り返し積層されている積層構造と言える。
【００７８】
そして、本実施形態においては、さらに、２段の周期で繰り返し積層する以外にも、３段以上の周期、例えば、３〜２０段の周期として繰り返し構造を設けてもよい。このとき、周期の形成の方法は、周期を階段状に設けてもよいし、周期を波状に設けてもよい。ここで、例えば、３段の周期で階段状に設ける場合を例に考えると、奇数段の１段目、奇数段の２段目、奇数段の３段目、はそれぞれ平面視したときに重ならない配置であり、奇数段の４段目は１段目と同一、５段目は２段目と同一、６段目は３段目と同一、というように階段状に設ける例が挙げられる。
【００７９】
また、上記３段の周期で階段状に設ける構造と類似するものとしては、１〜３段は上記と同一であるが、４段目を２段目と同一とし、５段目を１段目と同一とし、この５段目以降を１〜４段目を繰り返す波状に設ける例が挙げられる。この場合、繰り返し単位は４段となる。
【００８０】
また、蓄熱体を構成する蓄熱部材は、一般的には直方体の蓄熱部材を用いればよいが、例えば、図５Ａ及び５Ｂに示したように、側面において上方の幅が狭く、下方の幅が広くなるような傾斜を有する蓄熱部材を用いてもよい。このような形状の蓄熱部材を用いると、蓄熱部材の清掃が容易となる。すなわち、上記した蓄熱装置を用いたガラス物品の製造を行うと、排気ガス中には燃焼に伴い生成した燃焼カスや、排気ガス中に含まれる化合物等がダストとして蓄熱部材に付着する。このような付着物は使用時間に応じて増大し、長時間の使用によっては気体の流通路が狭くなりすぎて、ついには閉塞し、蓄熱装置が十分に機能し得なくなる場合がある。
【００８１】
このような事態を生じさせないために、上記のような側面に傾斜を有する蓄熱部材を使用すると、ダストの蓄熱部材自体への堆積を抑制することができる。また、このようなダストを定期的な清掃によりメンテナンスする場合もあり、この場合には、通常第２の蓄熱室の接続ダストや、途中に設けた開閉可能な清掃用の窓等から、清掃用具を差し入れてダストを第２の蓄熱室の底部に落下させる。この清掃において、通常は上方から下方に向けて差し入れるため、清掃のしやすさ等においても有利である。
【００８２】
また、蓄熱部材としては、図５Ｃ及び５Ｄに示したように、側断面において上方の幅が狭く、下方の幅が広くなるような傾斜を有する蓄熱部材であるが、部分的に傾斜のない蓄熱部材としてもよい。図５Ｃ及び５Ｄの蓄熱部材は、幅方向において両端と中央部の傾斜がなく（高さ方向に奥行が同一）、その間の部分に傾斜を設けた特殊形状の蓄熱用レンガである。このような形状とすることで、ダストの堆積を防止しつつ、蓄熱部材の強度も確保できる。この蓄熱部材を使用する場合、傾斜のない部分を他の蓄熱部材と積層するのが好ましい。
【実施例】
【００８３】
以下に、本発明を実施例及び比較例によって具体的に説明するが、本発明はこれらの記載によって何ら限定されるものではない。【００８４】
（実施例１〜２）
ガラス溶解窯に、接続ポートを介して図１に示した構成の第１の蓄熱室及び第２の蓄熱室を有する蓄熱装置を設けたガラス溶解装置を得た。これらの蓄熱装置における、各パラメータの関係について表１に示した。ここで、ガラス溶解窯は、表２に示した各例所定の生産量のものを用いた。【００８５】
（比較例１〜２）
表２に示した各例所定の生産量のガラス溶解窯に、接続ポートを介して図７に示した構成の第１の蓄熱室及び第２の蓄熱室を有する蓄熱装置を設けたガラス溶解装置を得た。これらの蓄熱装置における、各パラメータの関係について表１に併せて示した。【００８６】
（比較例３〜４）
表２に示した各例所定の生産量のガラス溶解窯に、接続ポートを介して第１の蓄熱室を有する蓄熱装置（第２の蓄熱室を有しないシングルパスのもの）を設けたガラス溶解装置を得た。【００８７】
なお、第２の蓄熱室における接続ダクトの接続位置は実施例１〜２が上（天井）、比較例１〜２が横（上方）、である。
これら実施例１〜２及び比較例１〜４で得られたガラス溶解装置を用いて、ガラス原料を溶解してガラス物品を製造した。表１は実施例１〜２、比較例１〜２の蓄熱装置における、各パラメータの関係を示している。このとき、各例におけるガラス溶解窯の生産量と使用した燃料の関係から単位生産量当たりの燃料原単位を算出し、表２及び図６にまとめて示した。【００８８】
表２及び図６からわかるように、比較例１〜４のガラス溶解装置は、生産量が増え大型化するほど効率が向上し燃料原単位（ｙ）を低減できる。比較例の燃料原単位は、一日当たりの生産量であるPull（T／Day）をｘ、ガラス１トンを溶かすのに必要な燃料である燃料原単位（GJ／T）をｙとしたとき、以下の式（１）で近似することができる。
ｙ＝９．５０３８ｘ−０．１６      ・・・（１）
【００８９】
これに対して実施例１〜２のガラス溶解装置は、同一の生産量（ｘ１）における燃料原単位が比較例よりも優れていることがわかる。このとき、比較例の近似線に対して実施例は、５％以上燃料原単位が低いといえる。【００９０】
【表１】
2018096863.tif 000003
【００９１】
【表２】
2018096863.tif 000004
【００９２】
以上の結果から、第１の蓄熱室と第２の蓄熱室との関係としてＳ２／Ｓ１を実施例のように０．６２以下とすれば、比較例に比べて同一生産量（ｘ１）における燃料原単位が向上する傾向にある。同様に、第２の蓄熱室の平断面における縦横比（Ｌ２／Ｗ２）を０．３〜０．７、第１の蓄熱室の断面積（Ｓ１）と流通路の開口面積（Ｓ３）との比（Ｓ３／Ｓ１）を０．１〜０．４、とすれば、比較例に比べて同一生産量（ｘ１）における燃料原単位が向上する傾向にある。
このように本願発明の一態様の蓄熱装置を用いた場合、エネルギーの効率が低下しやすい生産量の比較的小さい生産設備においても、排気ガスによる蓄熱体への蓄熱及び蓄熱体による燃焼用空気の加熱を効率的に行うことを実現できる。すなわち、本実施態様における蓄熱装置は、熱交換の効率が向上し省エネルギーに有用であることがわかった。
【産業上の利用可能性】
【００９３】
本発明は、ガラスの溶解における蓄熱装置として利用でき、特に、比較的生産量（プル）が小さく、少量多品種生産を行うようなガラス製造装置に好適に用いることができる。また、溶解後のガラスの成形法は公知の方法、例えば、フロート法、ダウンドロー法、フュージョン法、スロットダウン法などのシート状のガラスの製造方法のみならず、プレス成形法、プレスブロー成形法、ブローブロー成形法、鋳造法等などのガラス製造装置に用いることができる。また、ガラスの組成は、公知のガラス組成に適用可能であるが、ソーダライムガラスが特に好適に適用できる。
【図１】
2018096863.tif 000005
【図２】
2018096863.tif 000006
【図３Ａ】
2018096863.tif 000007
【図３Ｂ】
2018096863.tif 000008
【図４Ａ】
2018096863.tif 000009
【図４Ｂ】
2018096863.tif 000010
【図５Ａ】
2018096863.tif 000011
【図５Ｂ】
2018096863.tif 000012
【図５Ｃ】
2018096863.tif 000013
【図５Ｄ】
2018096863.tif 000014
【図６】
2018096863.tif 000015
【図７】
2018096863.tif 000016
【国際調査報告】
2018096863.tif 000017
2018096863.tif 000018
2018096863.tif 000019
2018096863.tif 000020